(57)【要約】【課題】弾性素材で構成された内部部品で密封性能を兼用することで、本来有する撮像装置の機能を損うことなく、部品点数の増加のない防塵・防水撮像装置を提供すること。【解決手段】略扁平な外形形状であり、前面部に撮影レンズ用開口部を有し、材質が弾性部材である構成部品が設けられた撮像装置において、前記弾性部材で構成され、一部外装開口部より突出した機能部品で周囲開口部の防塵・防水用パッキンを兼用することを特徴とする。又、弾性部材で構成された操作スイッチと防塵・防水用のパッキンを一体形成したことを特徴とする。更に、弾性部材で構成された外部接続端子用のカバー部材と防塵・防水用のパッキンを一体形成したことを特徴とする。【選択図】図１
2006047448.tif 000002
【特許請求の範囲】
【請求項１】
略扁平な外形形状であり、前面部に撮影レンズ用開口部を有し、材質が弾性部材である構成部品が設けられた撮像装置において、
前記弾性部材で構成され、一部外装開口部より突出した機能部品で周囲開口部の防塵・防水用パッキンを兼用することを特徴とする撮像装置。
【請求項２】
弾性部材で構成された操作スイッチと防塵・防水用のパッキンを一体形成したことを特徴とする請求項１記載の撮像装置。
【請求項３】
弾性部材で構成された外部接続端子用のカバー部材と防塵・防水用のパッキンを一体形成したことを特徴とする請求項１記載の撮像装置。
【請求項４】
弾性部材で構成されたカメラの把持性能向上を目的としたグリップ部材と防塵・防水用のパッキンを一体形成したことを特徴とする請求項１記載の撮像装置。
【請求項５】
光学ビューファインダー又は液晶表示装置等の外装側板上の穴部を有する部位の周縁部を弾性部材で覆い、後側板で押圧した防塵・防水パッキンと前記弾性部材で構成された操作スイッチ（又は他の弾性部品）を一体形成したことを特徴とする請求項１又は２記載の撮像装置。
【請求項６】
前側板と後側板の外周周縁部を弾性部材で覆い、前側板と後側板の合わせ部で押圧した防塵・防水パッキンと前記弾性部材で構成された操作スイッチ（又は他の弾性部品）を一体形成したことを特徴とする請求項１又は２記載の撮像装置。
【請求項７】
防塵・防水パッキン部と操作スイッチ及び操作スイッチ毎に少なくとも２色以上の色にすることが可能であることを特徴とする請求項１又は２記載の撮像装置。
【発明の詳細な説明】
【技術分野】
【０００１】
本発明は、防塵・防水構造を有する撮像装置の部品構成に関するものである。
【背景技術】
【０００２】
従来から、撮像素子等により取り込まれた画像を表示、又は記録媒体に記録することが可能な撮像装置（デジタルスチルカメラ等）が広く普及している。
【０００３】
このような撮像装置においては、例えば特許文献１等によって示すように、防水を目的として撮像装置本体の開口とこの開口を塞ぐ蓋体の間に薄板状の弾性部材を設けている撮像装置、又は複数の窓部（ファインダ−等）毎にパッキンを配置する撮像装置が知られている。
【０００４】
【特許文献１】特開平０９−３２５３９６号公報
【特許文献２】特開平１０−１５５１０号公報
【発明の開示】
【発明が解決しようとする課題】
【０００５】
しかしながら、防塵・防水を目的として撮像装置の複数の部位それぞれにパッキンを配置することは、部品点数の増大、部品点数に伴う金型の増大、組み込み工数の増加によってコスト上昇の一因となる。
【０００６】
又、近年、撮像装置においては操作スイッチの増加に伴い安価であるゴム等の弾性素材を用いた一体型スイッチを使用するもの、又、撮影時に手ぶれ等が起きないように、撮像装置本体の把持性能向上として弾性素材を使用するものが増えてきた。
【０００７】
弾性素材は押し潰すことにより発生する応力によって密封性能を発揮する素材であり、代表的な素材として、ニトリルゴム、シリコーンゴム、フッ素ゴム、アクリルゴム、ブチルゴム、スチロールゴム、ウレタンゴム等の合成ゴムが優れている。
【０００８】
本発明は、撮像装置における前記弾性素材で構成された内部部品で密封性能を兼用することで、本来有する撮像装置の機能を損うことなく、部品点数の増加のない防塵・防水撮像装置を提供するものである。
【課題を解決するための手段】
【０００９】
上記目的を達成するため、請求項１記載の発明は、略扁平な外形形状であり、前面部に撮影レンズ用開口部を有し、材質が弾性部材である構成部品が設けられた撮像装置において、前記弾性部材で構成され、一部外装開口部より突出した機能部品で周囲開口部の防塵・防水用パッキンを兼用することを特徴とする。
【００１０】
請求項２記載の発明は、請求項１記載の発明において、弾性部材で構成された操作スイッチと防塵・防水用のパッキンを一体形成したことを特徴とする。
【００１１】
請求項３記載の発明は、請求項１記載の発明において、弾性部材で構成された外部接続端子用のカバー部材と防塵・防水用のパッキンを一体形成したことを特徴とする。
【００１２】
請求項４記載の発明は、請求項１記載の発明において、弾性部材で構成されたカメラの把持性能向上を目的としたグリップ部材と防塵・防水用のパッキンを一体形成したことを特徴とする。
【００１３】
請求項５記載の発明は、請求項１又は２記載の発明において、光学ビューファインダー又は液晶表示装置等の外装側板上の穴部を有する部位の周縁部を弾性部材で覆い、後側板で押圧した防塵・防水パッキンと前記弾性部材で構成された操作スイッチ（又は他の弾性部品）を一体形成したことを特徴とする。
【００１４】
請求項６記載の発明は、請求項１又は２記載の発明において、前側板と後側板の外周周縁部を弾性部材で覆い、前側板と後側板の合わせ部で押圧した防塵・防水パッキンと前記弾性部材で構成された操作スイッチ（又は他の弾性部品）を一体形成したことを特徴とする。
【００１５】
請求項７記載の発明は、請求項１又は２記載の発明において、防塵・防水パッキン部と操作スイッチ及び操作スイッチ毎に少なくとも２色以上の色にすることが可能であることを特徴とする。
【発明の効果】
【００１６】
本発明によれば、撮像装置における弾性部材で構成された内部部品の特性を充分に活用することで、本来有する撮像装置の機能を損なうことなく、部品点数の増加がなく、組込工数の少ない防塵・防水撮像装置を提供することができる。
【００１７】
又、防塵・防水パッキン部と操作スイッチ及び操作スイッチ毎に色を変化させることで、スイッチ機能の視認性が向上し、誤操作の防止に繋がる。又、デザインの自由度の向上が図られる。
【発明を実施するための最良の形態】
【００１８】
以下に本発明の実施の形態を添付図面を参照して詳細に説明する。
【００１９】
図１〜図５に本発明に係る撮像装置を示す。図１は本発明に係る撮像装置の概略正面図であり、防塵・防水パッキン１１と、グリップ部材５及び外部接続端子用のカバー部材８が一体形成された構成部材の位置を斜線部で示している。
【００２０】
図２は本発明に係る撮像装置の概略背面図であり、防塵・防水パッキン１１と、操作スイッチ９が一体形成された構成部材の位置を斜線部で示している。図３は本発明に係る撮像装置の概略背面斜視図であり、防塵・防水パッキン１１と、操作スイッチ９が一体形成された構成部材の位置を斜線部で示している。図４は本発明に係る撮像装置の概略背面斜視図であり、外周周縁部の防塵・防水パッキン１１と、操作スイッチ９が一体形成された構成部材の位置を斜線部で示している（防塵・防水パッキン１１と操作スイッチ９の接続部は図示しない）。図５は本発明に係る撮像装置の操作スイッチ部の概略断面図である。
【００２１】
図において、１は撮像装置本体で、前側板１ａと後側板１ｂにより、撮像装置の各種内部構成部材が覆われている。前面部には撮影レンズ用開口部２が配置され、この中に配置されている光学系により被写体像が撮像素子に結像される。
【００２２】
その後、結像された像は、撮像素子で電気信号に変換され本体内部で信号処理が施されることになる。又、上側に光学ビューファインダー３、右上に撮影時に光量が足りない時等に必要に応じて発光するストロボ発光窓４、左にカメラの把持性能向上を目的としたグリップ部材５が設けられている。
【００２３】
後面部には、液晶表示装置６があり、撮像する被写体像の確認や撮像された画像の再生表示に用いられる。７はシャッターボタンであり、このシャッターボタン７の操作により、被写体が撮像され記録媒体に記録される。８は弾性素材で構成された外部接続端子を覆うカバー部材であり、外部接続端子には、撮影した画像を外部モニタ（ＴＶ等）に表示するためのビデオジャックやＰＣに撮影した画像を転送する際に使用する接続部がある。
【００２４】
９は弾性素材で構成された操作スイッチである。防塵・防水パッキンと一体形成されている操作スイッチ９は、電源スイッチ他各種機能を有する複数のスイッチで構成されており、後側板１ｂと操作基板１０に挟まれて固定されている。
【００２５】
操作スイッチ９は、Ｇ方向に押下することにより操作スイッチ導電部９ａと操作基板導電パターン１０ａに接触し、電気的信号を送る構造となっている。
【００２６】
次に、本実施の形態に係る撮像装置の構成部材レイアウトを以下に説明する。
【００２７】
図１は本発明による実施形態の撮像装置の概略正面図を示している。
【００２８】
図１に示すように、略扁平な外形形状であり、前面部に撮影レンズ用開口部２を有し、材質が弾性部材であるグリップ部材５及び外部接続端子用のカバー部材８が防塵・防水用のパッキン１１と一体形成している（一体形成部材を斜線部で示す）。
【００２９】
上記防塵・防水用パッキン１１と一体形成される弾性部材は、グリップ部材５と外部接続用のカバー部材８の両方であっても、何れか片方であっても良い。
【００３０】
図２は本発明による実施形態の撮像装置の概略背面図を示している。
【００３１】
図２に示すように、光学ビューファインダー３又は液晶表示装置６の周縁部を防塵・防水パッキン１１で覆い、材質が弾性部材である操作スイッチ９と一体形成している（一体形成部材を斜線部で示す）。操作スイッチ９及び防塵・防水パッキン１１は、後側板で押圧されて固定されている。
【００３２】
図３は本発明による実施形態の撮像装置の概略背面斜視図である。
【００３３】
図３に示すように、光学ビューファインダー３又は液晶表示装置６の周縁部を防塵・防水パッキン１１で覆い、材質が弾性部材である操作スイッチ９と一体形成している（一体形成部材を斜線部で示す）。操作スイッチ９及び防塵・防水パッキン１１は、後側板で押圧されて固定されている。
【００３４】
前記防塵・防水パッキン１１は、光学ビューファインダー３と液晶表示装置６に限定するものではなく、撮影レンズ用開口部２、シャッタ−ボタン６、外部接続端子部８周辺等の外装側板上の穴部を有する部位の周縁部を覆うものも含まれる。
【００３５】
図４は本発明による実施形態の撮像装置の概略背面斜視図である。
【００３６】
図４に示すように、前側板１ａと後側板１ｂの外周周縁部を防塵・防水パッキン１１で覆い、材質が弾性部材である操作スイッチ９と一体形成している（一体形成部材を斜線部で示す）。防塵・防水パッキン１１は、前側板１ａと後側板１ｂの合わせ部で押圧されて固定されている。
【００３７】
尚、図４では、前側板１ａと後側板１ｂが前後に分割する構成となっているが、上下分割や左右分割であっても良い。
【００３８】
図５は本発明による実施形態の操作スイッチ９の断面図である。
【００３９】
図５に示すように、操作スイッチ９は、Ｇ方向に押下することにより操作スイッチ導電部９ａと操作基板導電パタ−ン１０ａに接触し、電気的信号を送る構造となっている。
【００４０】
結果、撮像装置における弾性部材で構成された構成部材の特性を充分に活用することで、本来有する撮像装置の機能を損なうことなく、部品点数の増加がなく、組み込み工数の少ない防塵・防水撮像装置を提供することができる。
【図面の簡単な説明】
【００４１】
【図１】本発明に係る撮像装置の概略正面図図である。
【図２】本発明に係る撮像装置の概略背面図である。
【図３】本発明に係る撮像装置の概略背面斜視図である。
【図４】本発明に係る撮像装置の概略背面斜視図である。
【図５】本発明に係る撮像装置の操作スイッチの断面図である。
【符号の説明】
【００４２】
１    撮像装置本体
２    撮影レンズ用開口部
３    光学ビューファインダー
４    ストロボ発光窓
５    グリップ部材
６    液晶表示装置
７    シャッターボタン
８    外部接続端子用カバー
９    操作スイッチ
１０  操作基板
１１  防塵・防水パッキン
【図１】
2006047448.tif 000003
【図２】
2006047448.tif 000004
【図３】
2006047448.tif 000005
【図４】
2006047448.tif 000006
【図５】
2006047448.tif 000007